(57)【要約】【課題】  本考案は、軽量で、脚立への取り付け取り外しが簡単で、工具類を載置しても重心を脚立の中央に位置させるので、倒れる危険性が極めて低く安全性に優れ、更に大型の工具類や取り付け材料等の重量物をも載置できるので脚立から降りることなく工具類や取り付け材料等を使用でき作業性を向上させることができる脚立用工具載置具の提供を目的とする。【構成】  本考案の脚立用工具載置具は、織布やシートで作成された脚立用工具載置具であって、載置部と、前記載置部の各隅側に装設された取り付け部と、備えた構成を有している。【選択図】図1
0003217139.tif 000002
【実用新案登録請求の範囲】
【請求項１】
載置部と、前記載置部の各隅側に装設された取り付け部と、を備えたことを特徴とする脚立用工具等載置具
【請求項２】
前記載置部が織布や合成樹脂製や合成ゴム製のシートで形成されたことを特徴とする請求項1に記載の脚立用工具等載置具
【請求項３】
前記載置部の少なくとも一端部が開口された１又は２の袋状部と、前記袋状部に挿設された板状物を備えたことを特徴とする請求項２に記載の脚立用工具等載置具
【考案の詳細な説明】
【技術分野】
【０００１】
本考案は、脚立用工具等載置具に関する。更に詳しくは、脚立の脚部に脚立用工具等載置具の載置部の隅に配設された紐や鎖、フック等からなる取り付け部を取り付け、載置部に高所作業時に必要な釘や螺子等の材料やハンマーやドライバー等の工具類を載置して作業時に身近に置くことができ、作業時に脚立から上り下りすることなく材料や工具類を取り換えて作業を継続でき、作業性を著しく向上できる脚立用工具等載置具に関する。
【背景技術】
【０００２】
従来、電気工事者や大工、左官、塗装工、造園業者等は脚立を用いて高所作業をする際、作業内容が変わる度に、材料や工具類を取り換えるため脚立から上り下りして取り換えていたため、作業性が著しく悪いことからこれを改善するため種々検討されていた。
例えば、特許文献１には、脚立内側の空間を有効利用して工具袋内にドライバーやねじ等の工具類を袋内に収容し必要に応じて工具を出し入れできるように、脚立の支柱側方に着脱自在に取り付ける脚立用工具袋が開示されている。
また、特許文献２には、工具を収納する収納部を備えた工具収納箱と、収納部の側面に回動自在に装着されると共に一対の脚立の脚部に各々係合する溝が互いに対向して形成された一対のブラケットを備えた脚立取付用工具箱が開示されている。
いずれも作業に必要とする一式の工具をあらかじめ工具収納箱等に収納して準備することにより、工具を取り換えるため作業途中で脚立からの上り下りを不要とし、作業効率の向上を目的としたものである。
【先行技術文献】
【特許文献】
【０００３】
【特許文献１】実用新案登録第３１４９９７９号公報
【特許文献２】特開平９−３１７３６６号公報
【考案の概要】
【考案が解決しようとする課題】
【０００４】
しかしながら、上記従来の技術においては以下の課題を有していた。
（１）特許文献１の技術は、
ａ）フック体が取り付けられた袋のマチが一定のため脚立の高さ等の種類を変えるごとに、脚立に応じて該工具袋を変える必要があり、使用しずらいという課題があった。袋のマチが大きな袋を開脚度の小さな脚立に使用すると、開口部がマチで塞がりかつ底が深く皴があるので小さな工具を取り出すのが困難で、取り出す作業が煩わしく、取り出すのに気を奪われて安全が疎かになり危険なので使用に耐えないためである。
ｂ）各フック体を踏み桟部に固定するために螺子をドライバーでいちいち固定しなければならず、設置作業性に欠けるという課題を有していた。
ｃ）鋸等の柄の長い工具は、柄が袋からはみ出て脚立の外に出るので、完成した内装等を傷つけたり、電線や木の枝等に接触して作業や安全性を阻害するという課題を有していた。
ｄ）鑿等の刃物や鋭利な先端部分を有する工具等は、布製の工具袋を傷つけるとともに、怪我のもとになり安全性を害するという課題を有していた。
（２）特許文献２の技術は、
ａ）脚立取付用工具箱は工具収納箱の一側部にブラケットを備えたものなので、自立できず、保管に場所を取り収納性に欠けるとともに、工具類を工具収納箱に収納するためには、脚立取付用工具箱を脚立の天板に取り付けてからしか収納できないため、高さの低い脚立にしか利用できないという課題がある。
ｂ）高さの低い脚立に脚立取付用工具箱を取り付けて、工具類を工具収納箱に収納する際、重量のある工具を複数収納すると、その重量で脚立が脚立取付用工具箱を取り付けた側に倒れるので、安全性に欠けるとともに、作業に必要な工具類を全て収納できず、また大型の工具類や取り付け材料等の重量物を収納することは困難なので結局脚立具類を取り換えねばならず作業性に欠けるという課題があった。
ｃ）脚立取付用工具箱を取り付けた脚立は重心が一方に偏っているので、脚立の姿勢が不安定で倒れやすく安全性に欠けるという課題を有していた。また、脚立が倒れるのを防ぐため、脚立から離れるたびごとに材料や工具類を脚立取付用工具箱から取り除く必要があり、作業が煩雑で作業性や利便性に欠けるという課題があった。
【０００５】
本考案は上記従来の課題を解決するもので、軽量で、脚立への取り付け取り外しが簡単で、重量のある工具類を載置しても重心を脚立の中央に位置させるので、脚立の倒れる危険性が極めて低く安全性に優れ、軽量で柔軟性や機械的強度に優れるので耐久性に優れるとともに折り畳んでコンパクトにすることができ収納に場所を取らず、また、脚立に取り付けたまま脚立を折り畳むことができ脚立との一体化が可能で、更に大型の工具類や取り付け材料等の重量物をも載置できるので脚立から上り下りすることなく工具類や取り付け材料等を使用でき作業性を向上させることができる脚立用工具等載置具を提供することを目的とする。
【課題を解決するための手段】
【０００６】
上記課題を解決するために、本考案の脚立用工具等載置具は以下の構成を有する。
請求項１に記載の脚立用工具等載置具は、載置部と、前記載置部の各隅側に装設された取り付け部と、備えた構成を有している。
【０００７】
この構成により、以下の作用が得られる。
（１）一対の梯子部の同一高さの脚部や横桟に、載置部の４隅等の箇所の取り付け部を固定するだけで、脚立の天板の下に材料や工具類を載置する載置部が形成されるので、従来作業を切り替え材料や工具類を取り換えるため、その都度脚立から上り下りして、材料や工具類を取り換えていたが、予め必要な材料や工具類を載置部に載置しておくだけで、脚立から上り下りすることなく工具等の取り換えができ、高所作業の作業性を著しく向上させることができる。
（２）脚立用工具等載置具は脚立の中央に装設され、脚立の重心上に位置するので、脚立が倒れにくく安全性が高い。
（３）取り付け部を脱着自在に形成した場合は、他の脚立に取変える場合でも、取り付け部を付け替えるだけで工具等の載置部として使用可能であり利便性に優れる。
（４）鑿等の鋭利な刃物の工具類も横にして載置することができるとともに、載置部の両側部に縁が立つので、材料や工具類の落下を防ぎ、安全性に優れる。
【０００８】
ここで、載置部としては、木綿性や合成繊維等で形成された織布や、合成樹脂製や合成ゴム製のシート、鉄やアルミニウム等の金属板、木板等で作製される。
金属板製の場合は、縁部に高さが５乃至１０ｍｍほどの側壁を設けると、小分けした釘等の材料やドライバー等の転がりやすい工具類が縁部から脱落するのを防ぐことができる。
載置部としては、四角形や六角形、長楕円形等の形状に形成されたものが用いられる。載置部を脚立の対向する脚部の側部に、横桟よりも長さが長い形状のものを用いると、のこぎり等柄の長いものも安定して載置することができる。
取り付け部としては、載置部の対向する長辺の隅部等に装設された紐や帯状、先端に鉤状のフックを備えた鎖状のもの等が用いられる。取り付け部は載置部に形成した鳩目等に脱着自在に配設してもよいし紐状物の端部を載置部に縫い付けて固定してもよい。取り付け部は長さが調節できるものが好ましい。種々の脚立や上下の横桟に利用できるようにするためである。
【０００９】
請求項２に記載の脚立用工具等載置具は、請求項1において、前記載置部が織布や合成樹脂製や合成ゴム製のシートで作成された構成を有している。
【００１０】
この構成により、以下の作用が得られる。
（１）脚立用工具等載置具が織布やシートで作成されているので、脚
立とともに折り畳んだり拡げたりすることができるので、脚立用工具等載置具の取り付け取り外し作業が不要で作業性に優れる。
（２）収納の際は折り畳むだけで収納でき、また、脚立とともに折り畳むことができるので収納に場所を取らず収納性に優れる。
【００１１】
ここで、織布としては、天然繊維や半合成繊維、合成繊維製の織布や不織布が用いられるが、帆布が好適に用いられる。帆布としては、大麻、亜麻、粗麻、黄麻との繊維製の麻帆布、厚手の木綿製の綿帆布、ナイロン等の合成繊維製の帆布が用いられる。
シートとしては刃物類等を載置することから破断強度や引き裂き強度や柔軟性に優れた弾力性のある合成樹脂製や硬質の合成ゴム製のシート等が用いられる。
載置部は防水性、通水性のいずれの材料からなるものを用いてもよい。防水性、撥水性の場合は濡れ雑巾等も載置できる。
【００１２】
請求項３に記載の脚立用工具等載置具は、請求項２の考案において、
前記載置部の少なくとも一端部が開口された１又は２の袋状部と、前記袋状部に挿設される板状物を備えた構成を有している。
この構成により、請求項２の構成で得られる作用に加え、以下の作用が得られる。
（１）板状物が脚立用工具等載置具の袋状部に挿入されている場合は、脚立用工具等載置具の載置部の織布等が弛んで窪みができるのを防ぐとともに、フラット化するので螺子や釘、ナット類等の材料を小分けして置くことができるので、両手が使え、作業性を向上させることができる。
（２）脚立を折り畳む際、板状物が袋状部から挿脱可能なので、板状物が一枚ものの場合は板状物を抜き取ることにより、二枚物の場合は挿入したままで折り畳むことができる。
【００１３】
ここで、板状物としては、木製や合成樹脂製、金属製のものが用いられる。合成樹脂製のものとしては、ナイロン、ポリカーボネート等の機械的強度に優れた合成樹脂製の物が用いられる。
【考案の効果】
【００１４】
・請求項1に記載の考案によれば、以下の効果を実現できる脚立用工具等載置具を提供できる。
（１）脚部に紐等の取り付け部を固定するだけで使用できるので、一個の脚立用工具等載置具で種々の脚立に利用できる。
（２）脚立に取り付けた脚立用工具等載置具の載置部に、予め必要な工具や材料を載置して置くことにより、脚立を上り下りすることなく必要な工具や材料を使用でき、又、取り付け具が紐等で作成され長さが調節可能なので、一個の脚立用工具等載置具で開拡度の異なる種々の脚立に使用でき、利便性に優れる。
・請求項２に記載の考案によれば、請求項1に記載の考案で得られる効果に加え、以下の効果を実現できる脚立用工具等載置具を提供できる。
（１）脚立用工具等載置具が織布やシートで作成されているので、脚
立とともに折り畳んだり拡げたりすることができ取り付け取り外し作業が不要で作業性に優れる。
（２）保管の際は折り畳むだけで極めて小さくすることができ収納性に優れる。
・請求項３に記載の考案によれば、請求項２に記載の考案で得られる効果に加え、以下の効果を実現できる脚立用工具等載置具を提供できる。
（１）板状物が脚立用工具等載置具の袋状部に挿入されているので、脚立用工具等載置具の載置部をフラットにでき、螺子や釘、ナット類等の材料が中央に寄るのを防ぎ、山盛り状に小分けして置くことができ作業性を向上できる。
【図面の簡単な説明】
【００１５】
【図１】実施の形態１の脚立用工具等載置具の模式正面図
【図２】実施の形態２の脚立用工具等載置具の正面図
【図３】実施例と比較例の脚立用工具等載置具の作用を示す模式図
【考案を実施するための最良の形態】
【００１６】
（実施の形態1）
図1は、実施の形態１の脚立用工具等載置具の模式正面図である。
図1において、１は帆布等の織布や合成樹脂製、合成ゴム製のシートで作成された実施の形態１の脚立用工具等載置具、2はニッパーやハンマー、ペンチ、ドライバー等の工具類や釘、ボルト、ナット等の材料を載せる脚立用工具等載置具１の載置部、３は載置部2の各隅部に形成された鳩目、４は鳩目3に一端が固設された帯状物や紐状物、鎖等からなる取り付け部、５は取り付け部４の一端に取り付けられたフックである。
【００１７】
図２は、取り付け部を省略した実施の形態２の脚立用工具等載置具の正面図である。
図２において、図1と同一のものは同一の符号を付し説明を省略する。１aは実施の形態２の脚立用工具等載置具、２aは脚立用工具等載置具１aの載置部２の一端部に形成された開口部２bを除く周囲が縫着や接着で固着された固着部２cを有する袋状部、６は袋状部２aの開口部２bに挿脱自在に配設された木板や合成樹脂製等の硬質シートからなる板状物、７は板状物６の端部側に穿設された把持部である。
【００１８】
以上のように構成された実施の形態２の脚立用工具等載置具１aを用いて、以下その使用方法を説明する。
図３は実施の形態２の脚立用工具等載置具１aを脚立の横桟に掛止した状態を示す模式図である。
図３において、図1、図2と同一のものは同一の符号を付し説明を省略する。１０は脚立、１１は脚立１０の脚部、１２は脚立１０の横桟である。
まず、折り畳んだ脚立用工具等載置具１aを広げる。脚立１０の脚部１１を開き、作業箇所に近い脚部１１と横桟１２に跨って脚立用工具等載置具１aの鳩目3に固設されている先端にフック５が装設された紐状の取り付け部4を固定する。次いで、袋状部２aに開口部２bから厚みが約２ｍｍのポリプロピレンシートからなる板状物６をを挿入し袋状部２a内に収める。次いで、脚立用工具等載置具１ａの載置部２に作業に必要な工具や、釘や螺子等の材料を小分けして置く。載置部２に工具を置くとその重身で載置部２の固着部２ｃで囲まれた中央部が下がりその縁が立ちあがり側壁２dとなり、釘や螺子ボルトやナットが載置部２から落ちるのを防ぐことができる。
【００１９】
作業者は脚立に上り載置部２上の材料や工具を取り作業を行う。手持ちの材料がなくなったり工具を取り換えたりする際は、作業箇所に近いところに脚立用工具等載置具１aが固定されているので脚立１０の横桟を数段上り下りするだけで、直接、脚立１０から地上に降りることがなく、工具を取り換えたり、材料の補充や交換をすることができる。作業場所を変える際は、板状物６を袋状部２ａから抜き取り工具を載置部２で挟んだまま脚立を移動させることができる。
また、作業を終え脚立１０を倉庫等に収納する際は、板状物６を外せば HYPERLINK  \l "#Hlk512174022" \s "1,4302,4313,0,,脚立用道具載置具１aを" 脚立用工具等載置具１aを脚立１０とともに折り畳むことができる。板状物６は把持部７に紐等をつけて置き、その紐で脚立１０に固定する。脚立１０とともに脚立用工具等載置具１a 、板状物６を倉庫等に収納できる。
【００２０】
ここで、取り付け部４を鎖やワイヤを用い、一端を鳩目に固定手段で固定し、他端にフックをつけると、係止する際フックを脚部１１と横桟１２の交点に回して鳩目３に掛けると紐のように解けることがなく重量物の工具も安心して載置することができる。
脚立の高さが高い場合は、脚立用工具等載置具１aを一対の脚部の間に横桟の長さよりも大きなサイズで２枚作製し、載置部２を上下の位置に２か所掛止し、各々の袋状部２ａに板状物６を入れると大量の工具や材料を載置部２に載置することができ、高所での作業性を向上させることができる。
載置部２を撥水性や防水性の材料で作成すると、雨が降っても吸水することがないので、濡れ雑巾等も載置することができる。
一個の横桟の両端部の取り付け部４の掛止を解くことにより、脚立用工具等載置具を取り付けたまま脚立を梯子としても使用できる。
【００２１】
以上のように、本考案の脚立用工具等載置具１aは構成されているので、以下の作用を得ることができる。
（１）載置部が織布やシート製なので、軽量で折りたたみができ持ち運びが容易で、更に収納に場所を必要としない。
（２）脚立１０を広げて脚立用工具等載置具１aを設置すると、載置部２が張り平らになるので、釘や螺子、ボルトやナット等の材料を小分けして載置できるので作業性を向上させる。
（３）袋状部に板状物を挿設することにより、重量のある工具を載置しても載置部２がたわむのを防ぎ材料を小分けして載置できる。
（４）脚立に脚立用工具等載置具１aを取り付けると、脚立に取り付けたまま折り畳んだり広げたりすることができるとともに、次の作業の際には、作業に必要な材料と工具を乗せるだけで作業が出き、利便性に優れる。
【産業上の利用可能性】
【００２２】
軽量で折りたたむことができ収納に場所を取らず、また脚立に簡単に取り付けることができ、載置部に釘や螺子等の材料を小分けして安定して載置でき、又、載置部が大きい場合は袋状部を作製し板状物を装設することにより、載置部をフラットにして工具や小分けした材料を載置でき作業性を著しく向上させることができ、又脚立とともに閉じたり開いたりすることができる脚立用工具等載置具を提供することができる産業上極めて有用な考案である。
【符号の説明】
【００２３】
１      実施の形態１の脚立用工具等載置具
１ａ    実施の形態２の脚立用工具等載置具
２      載置部
２ａ    袋状部
２ｂ    開口部
２ｃ    固着部
３      鳩目
４      取り付け部
５      フック
６      板状物
７      把持部
１０    脚立
１１    脚部
１２    横桟
【図１】
0003217139.tif 000003
【図２】
0003217139.tif 000004
【図３】
0003217139.tif 000005